(57)【要約】      （修正有）【課題】軽い力でブラシ部の角度を調整しながらブラッシングできる歯ブラシを提供する。【解決手段】植毛がされたブラシ部１０ｃと、ブラシ部１０ｃに延設された把持部２０ｃとを備える歯ブラシ１ｃであって、把持部２０ｃは、指を通すための貫通孔２４が設けられたリング状の第１指掛け部２１を含む。ブラシ部１０ｃは、ヘッド部１１、首部１２及び連結部１３ｃを含む。連結部１３ｃは、首部側が閉塞した筒状に形成され、把持部２０ｃの軸部２７ｃが套接され、ブラシ部１０ｃと把持部２０ｃとが着脱可能に形成されている。【選択図】図６
0003200296.tif 000002
【実用新案登録請求の範囲】
【請求項１】
植毛がされたブラシ部と、前記ブラシ部に延設された把持部とを備える歯ブラシであって、
前記把持部は、指を通すための貫通孔が設けられたリング状の第１指掛け部を含み、
前記歯ブラシは、前記ブラシ部と前記把持部とが着脱可能に形成されている
ことを特徴とする歯ブラシ。
【請求項２】
請求項１に記載の歯ブラシであって、
前記把持部は、さらに、
前記第１指掛け部に延設して形成され、最大幅が前記第１指掛け部の外縁の最大幅より広い第２指掛け部と、
前記第２指掛け部に延設して形成された握り部と、を含む
ことを特徴とする歯ブラシ。
【請求項３】
請求項１又は２に記載の歯ブラシであって、
前記把持部は、前記ブラシ部において植毛がされた面と同じ側の面である表面及び対向側の面である裏面の幅が、前記表面及び裏面の間の両側面より広く、扁平な形状に形成されている
ことを特徴とする歯ブラシ。
【請求項４】
請求項２に記載の歯ブラシであって、
前記第２指掛け部の最大幅は、３０ｍｍ〜６０ｍｍである
ことを特徴とする歯ブラシ。
【請求項５】
請求項２又は４に記載の歯ブラシであって、
前記第２指掛け部は、
前記第１指掛け部の外縁にそれぞれ延続して形成され、互いに対向している凹みである一対の凹部と、
一対の前記凹部にそれぞれ延続して形成され、互いに対向している凸状部分である一対の凸部と、を含む
ことを特徴とする歯ブラシ。
【請求項６】
請求項２又は請求項４〜５のいずれか一項に記載の歯ブラシであって、
前記第２指掛け部は、前記歯ブラシの長手方向の中心線と直交する断面の形状が略菱形である
ことを特徴とする歯ブラシ。
【請求項７】
請求項２又は請求項４〜６のいずれか一項に記載の歯ブラシであって、
前記握り部は、少なくとも末端部分における、前記歯ブラシの長手方向の中心線と直交する断面の形状が略楕円形である
ことを特徴とする歯ブラシ。
【請求項８】
請求項１〜７のいずれか一項に記載の歯ブラシであって、
前記歯ブラシは、前記ブラシ部が前記把持部に対して長軸方向において回転可能に形成されている
ことを特徴とする歯ブラシ。
【考案の詳細な説明】
【技術分野】
【０００１】
本考案は、歯ブラシに関する。
【背景技術】
【０００２】
手動歯ブラシは、通常ブラシ部及び把持部からなり、把持部が棒状に形成される。特許文献１には、このように棒状に形成された歯ブラシが提案されている。
【０００３】
一方、弱い力でも握り締めることができる歯ブラシが提案されている。特許文献２には把持部に輪状のふくらみ部を設けた歯ブラシが提案され、特許文献３には把持部に凹部（密着面）を設けた歯ブラシが提案されている。
【先行技術文献】
【特許文献】
【０００４】
【特許文献１】特開平５−１５４１１号公報
【特許文献２】実開昭５５−９５５２５号公報
【特許文献３】特開２０００−１３９５６６号公報
【考案の概要】
【考案が解決しようとする課題】
【０００５】
上記特許文献２及び３に記載の歯ブラシは、把持部に輪状のふくらみ部や凹部（密着面）を設けたことで、使用者が障害や指の傷等で歯ブラシを通常のように把持できない場合に一定の効果を有するものの、把持態様が限定されるため、ブラッシングに必要とされるブラシ部の角度を調整できないという問題がある。
【０００６】
本考案は、上記課題を解決するためのもので、軽い力でブラシ部の角度を調整しながらブラッシングできる歯ブラシを提供することを目的とする。
【課題を解決するための手段】
【０００７】
そこで、上記課題を解決するために、本考案に係る歯ブラシは、植毛がされたブラシ部と、前記ブラシ部に延設された把持部とを備える歯ブラシであって、前記把持部は、指を通すための貫通孔が設けられたリング状の第１指掛け部を含み、前記歯ブラシは、前記ブラシ部と前記把持部とが着脱可能に形成されている。
【０００８】
また、前記把持部は、さらに、前記第１指掛け部に延設して形成され、最大幅が前記第１指掛け部の外縁の最大幅より広い第２指掛け部と、前記第２指掛け部に延設して形成された握り部と、を含んでもよい。
【０００９】
また、前記把持部は、前記ブラシ部において植毛がされた面と同じ側の面である表面及び対向側の面である裏面の幅が、前記表面及び裏面の間の両側面より広く、扁平な形状に形成されていてもよい。
【００１０】
また、前記第２指掛け部の最大幅は、３０ｍｍ〜６０ｍｍであってもよい。
【００１１】
また、前記第２指掛け部は、前記第１指掛け部の外縁にそれぞれ延続して形成され、互いに対向している凹みである一対の凹部と、一対の前記凹部にそれぞれ延続して形成され、互いに対向している凸状部分である一対の凸部と、を含んでもよい。
【００１２】
また、前記第２指掛け部は、前記歯ブラシの長手方向の中心線と直交する断面の形状が略菱形であってもよい。
【００１３】
また、前記握り部は、少なくとも末端部分における、前記歯ブラシの長手方向の中心線と直交する断面の形状が略楕円形であってもよい。
【００１４】
また、前記歯ブラシは、前記ブラシ部が前記把持部に対して長軸方向において回転可能に形成されていてもよい。
【考案の効果】
【００１５】
本考案によれば、軽い力でブラシ部の角度を調整しながらブラッシングできる歯ブラシを提供することができる。
【図面の簡単な説明】
【００１６】
【図１】実施形態１に係る歯ブラシを説明するための図である。
【図２】実施形態１に係る歯ブラシの使用状態を説明するための図である。
【図３】実施形態２に係る歯ブラシを説明するための図である。
【図４】実施形態２に係る歯ブラシの使用状態を説明するための図である。
【図５】実施形態２の変形例１に係る歯ブラシを説明するための図である。
【図６】実施形態３に係る歯ブラシを説明するための図である。
【図７】実施形態３に係る歯ブラシの使用状態を説明するための図である。
【図８】実施形態３の変形例１に係る歯ブラシを説明するための図である。
【図９】実施形態４に係る歯ブラシを説明するための図である。
【考案を実施するための形態】
【００１７】
以下、図面を参照して本考案に係る歯ブラシの実施形態の例を説明する。本願においては、歯ブラシの植毛がされた面を表面とし、その対向側の面を裏面とする。また、歯ブラシを構成する各構成部分の全体の長手方向における幅を「長さ」と記載し、短手方向における幅を「幅」と記載する。
【００１８】
＜実施形態１＞
図１は、実施形態１に係る歯ブラシ１を説明するための図で、図１（ａ）は平面図、図１（ｂ）は正面図、図１（ｃ）は左側面図である。図１に示すように、歯ブラシ１は、ブラシ部１０及び把持部２０を備える。歯ブラシ１は、植毛がされたブラシ部１０とブラシ部１０に延設された把持部２０とが一体に形成される。歯ブラシ１は、ナイロンやプラスチック、ゴム等従来技術における材料を用いて形成することができる。
【００１９】
ブラシ部１０は、ヘッド部１１、首部１２及び連結部１３を含む。ヘッド部１１は、角に丸みのある略四角形状の板状の本体に、一の面（表面）に植毛がされて形成される。首部１２は、ヘッド部１１から延続して、断面形状が略四角形状の細い棒状に形成される。連結部１３は、首部１２から拡幅して、首部１２を頂点とした略二等辺三角形状に形成される。
【００２０】
例えば、奥歯をブラッシングする際には、ヘッド部１１を、上下歯の間に差し込んで奥歯の咬合面をブラッシングしたり、上下歯の間から口腔内に差し込んで奥歯の舌側をブラッシングしたりする必要がある。そのため、首部１２は細く薄く形成することが望ましい。しかし、首部１２を細く形成すると、強度が弱くなるおそれがあるので、ここでは、連結部１３を首部１２から拡幅して形成することによってこれを回避する。特に、後述のように把持部２０にリング状の第１指掛け部２１を設けると、第１指掛け部２１との接続部分が脆弱になり破損しやすくなるので、連結部１３を設けることによってこれを防止することができる。
【００２１】
把持部２０は、指を通すための貫通孔が設けられたリング状の第１指掛け部２１と、第１指掛け部２１に延設して形成された第２指掛け部２２と、第２指掛け部２２に延設して形成された握り部２３と、を含む。把持部２０は、ブラシ部１において植毛がされた面と同じ側の面である表面及び対向側の面である裏面の幅が、表面及び裏面の間の両側面より広く、扁平な形状に形成される。
【００２２】
第１指掛け部２１は、連結部１３に延設して形成される。図１（ａ）に示す第１指掛け部２１の貫通孔２４は、略円形状に形成される。第１指掛け部２１は、人差し指や親指等の指先だけではなく、指の根元までが入る余裕のある大きさに形成される。幼児や子供、大人用で適正値は異なり、第１指掛け部２１は、好ましくは、内径の最大幅Ｄｎが１３ｍｍ〜３５ｍｍ程度で、外縁の最大幅Ｄｇが２０〜４０ｍｍ程度である。これによって、歯ブラシ１を把持する手の全体の自由度を高めることができる。
【００２３】
第２指掛け部２２は、第１指掛け部２１に延設して形成される。第２指掛け部２２は、一対の凹部２５及び一対の凸部２６を含む。一対の凹部２５は、第１指掛け部２１の外縁にそれぞれ延続して形成され、互いに対向している一対の凹みである。一対の凸部２６は、一対の凹部２５にそれぞれ延続して形成され、互いに対向している凸状部分である。
【００２４】
一例として、図１に示すように、第２指掛け部２２は、第１指掛け部２１の外縁より一旦幅を狭めてから広めた後に、さらに狭める形状に形成される。これによって、両側面において、くびれ状の凹みである一対の凹部２５と、「へ」の字状の一対の凸部２６が形成される。第２指掛け部２２は、両凸部２６の間で形成される最大幅Ｗが第１指掛け部２１の外縁の最大幅より広く形成される。好ましくは、第２指掛け部２２の最大幅Ｗは３０ｍｍ〜６０ｍｍ程度であり、第１指掛け部２１の外縁より広い。
【００２５】
握り部２３は、第２指掛け部２２に延設して形成される。握り部２３は末端部分が丸みを帯びる形状に形成される。
【００２６】
一例として、歯ブラシ１は、長手方向の中心線Ｌに対して左右対称に形成される。または、歯ブラシ１は、利き手に合わせて、人差し指を第１指掛け部に通した場合に、親指を当てる側の凹部２５を中指を当てる側の凹部２５より凹みが深くなるように形成されてもよい。
【００２７】
また、図１において、凸部２６は「へ」の字状に形成されているが、これに限定するものではなく、例えば、「冂」の字状に両側面から突出するように形成されてもよい。
【００２８】
図２は、歯ブラシ１の使用状態の例を説明するための図である。使用者は、図２（ａ）に示すように、歯ブラシ１を、人差し指を第１指掛け部２１に通し、親指及び中指をそれぞれ第２指掛け部２２に当てるようにして把持することができる。また、図２（ｂ）に示すように、親指を第１指掛け部２１に通し、人差し指及び中指をそれぞれ第２指掛け部に当てるように歯ブラシ１を把持することができる。このように、使用者は、弱い力でもしっかりと歯ブラシ１を把持することができ、ブラッシングに必要とされるブラシ部の角度を調整することができる。
【００２９】
すなわち、歯ブラシ１は、第１指掛け部及び第２指掛け部を含むことにより、使用者は、第１指掛け部に指を通し、第２指掛け部に指を当てることによって、弱い力でもしっかりと歯ブラシ１を把持することができる。また、第２指掛け部の最大幅が第１指掛け部より広いため、自然な把持態様となると共に、３点支持となるため安定感のある把持ができる。また、第２指掛け部に凹部と凸部を含めることで、凹部に指を当てた状態で、凸部で歯ブラシ１を捻るようにして、歯ブラシ１を長軸方向において回転させてブラシ部の角度を調整することができる。また、凸部間の幅（第２指掛け部の最大幅）が広いため、小さい幅の捻りでもブラシ部の角度を変える効果を十分に得ることができる。
【００３０】
＜実施形態２＞
図３は、実施形態２に係る歯ブラシ１ａを説明するための図で、図３（ａ）は平面図、図３（ｂ）は正面図である。図３に示すように、歯ブラシ１ａは、ブラシ部１０ａ及び把持部２０ａを備える。以下では、実施形態１と同様な構成については、同様な符号を付してその説明を省略する。
【００３１】
ブラシ部１０ａは、ヘッド部１１、首部１２及び連結部１３ａを含む。ブラシ部１０ａは、連結部１３ａが棒状に形成される以外は、実施形態１と同様であるため、説明を省略する。
【００３２】
把持部２０ａは、指を通すための貫通孔が設けられたリング状の第１指掛け部２１と、第１指掛け部２１に延設して形成された第２指掛け部２２ａと、第２指掛け部２２ａに延設して形成された握り部２３ａと、を含む。
【００３３】
第２指掛け部２２ａは、第１指掛け部２１に延設して形成される。第２指掛け部２２ａは、一対の凹部２５ａ及び一対の凸部２６ａを含む。一対の凹部２５ａは、第１指掛け部２１の外縁にそれぞれ延続して形成され、互いに対向している一対の凹みである。一対の凸部２６ａは、一対の凹部２５ａにそれぞれ延続して形成され、互いに対向している凸状部分である。
【００３４】
一例として、図３に示すように、第２指掛け部２２ａは、一対の凹部２５ａが第１指掛け部２１の外縁にそれぞれ延続してくびれ状に形成され、一対の凸部２６ａが一対の凹部２５ａにそれぞれ延続して丸みのある凸状に形成される。
【００３５】
また、第２指掛け部２２ａは、最大幅Ｗ、即ち両凸部２６ａの間の部分の幅が第１指掛け部２１の外縁の最大幅より広く形成される。好ましくは、第２指掛け部２２ａの最大幅Ｗは３０ｍｍ〜６０ｍｍ程度である。
【００３６】
また、図３に示すように、第２指掛け部２２ａは、歯ブラシ１ａの長手方向の中心線Ｌと直交する断面形状が略菱形に形成される。
【００３７】
握り部２３ａは、第２指掛け部２２ａに延設して形成される。握り部２３ａは少なくとも末端部分における、中心線Ｌと直交する断面形状が略楕円形に形成される。
【００３８】
これにより、掌に当たる接触面が略球状の支点をなし、第２指掛け部に当たる指位置を操作することにより、把持部全体が回転し易くなり、強いては歯ブラシ先端付近（ヘッド部）が回転しやすくなり、歯に当たるブラシの先端を適切にコントロールしやすくなる。
【００３９】
図４は、歯ブラシ１ａの使用状態の例を説明するための図である。図示のように、使用者は、歯ブラシ１ａを、人差し指を第１指掛け部２１に通し、親指及び中指をそれぞれ第２指掛け部２２ａに当てるようにして把持することができる。また、親指と中指で凸部２６ａにおいて歯ブラシ１ａを捻るようにして、ブラシ部１０ａの角度を調整することができる。
【００４０】
このように、歯ブラシ１ａは、実施形態１に記載の効果以外に、さらに、凸部２６ａを丸味のある凸状にし、第２指掛け部２２ａの断面形状を略菱形にし、握り部２３ａの末端部分の断面形状を略楕円形にすることで、さらに凸部２６ａにおいて歯ブラシ１ａを捻りやすくなり、歯ブラシ１を長軸方向において回転させてブラシ部の角度を調整しやすくなる。
【００４１】
なお、ここで、ブラシ部１０ａは連結部１３ａにおいて把持部２０ａと着脱可能に形成されてもよい。これによって、消耗しやすいブラシ部１０ａのみを交換することができ、歯ブラシの交換費用を削減できる。また、把持部が繰り返し使用できるようになることで、把持部に費用を掛けて使用者により使いやすいものを求めることができるようになる。
【００４２】
なお、以上では、ブラシ部と把持部が直線状に形成されているものとして説明したが、湾曲部を設けたり、ブラシ部が把持部に対して斜めに形成されたり、先端をブラシ部と把持部が斜めに形成されたりしてもよい。
【００４３】
＜実施形態２の変形例１＞
実施形態２の変形例１に係る歯ブラシ１ｂは、把持部２０ｂの第１指掛け部２１ｂのみが実施形態２に係る歯ブラシ１ａと異なる。第１指掛け部２１ｂの貫通孔２４ｂは、歯ブラシ１ｂの短手方向における幅が長手方向における幅より広く、略楕円形状に形成される。
【００４４】
これによって、歯ブラシ１ｂは、第１指掛け部２１ｂに通した指を傾けやすくなり、さらに、ブラシ部の角度を調整しやすくなる。
【００４５】
＜実施形態３＞
図６は実施形態３に係る歯ブラシ１ｃを説明するための図で、図６（ａ）は平面図、図６（ｂ）は正面図である。以下では、実施形態１と同様な構成については、同様な符号を付してその説明を省略する。図６に示すように、歯ブラシ１ｃは、ブラシ部１０ｃ及び把持部２０ｃを備える。歯ブラシ１ｃは、ブラシ部１０ｃと把持部２０ｃとが別体に形成される。
【００４６】
ブラシ部１０ｃは、ヘッド部１１、首部１２及び連結部１３ｃを含む。連結部１３ｃは、首部側が閉塞した筒状に形成され、後述の把持部２０ｃの軸部２７ｃが套接される。連結部１３ｃには、係止孔１４ｃが設けられる。
【００４７】
把持部２０ｃは、第１指掛け部２１と、第１指掛け部２１から凸状に延びて形成される軸部２７ｃと、握り部２３ｃとを含む。軸部２７ｃは、連結部１３ｃによってかぶせられる部分であり、ストッパー２８ｃが設けられる。ヘッド部１１が握り部２３ｃに対して長軸方向において所定の角度となるように、軸部２７ｃに連接部１３ｃを套接し、ストッパー２８ｃを係止孔１４ｃに係止させる。これによって、ブラシ部１０ｃを長軸方向において回転させながら、把持することができる。
【００４８】
握り部２３ｃは、第１指掛け部２１から延続して形成される。握り部２３ｃは、幅を広く形成される。握り部２３ｃの幅Ｖは、１５ｍｍ以上であることが望ましい。より望ましくは、握り部２３ｃの幅Ｖは、１５ｍｍ〜２４ｍｍの範囲内である。
【００４９】
図７は、歯ブラシ１ｃの使用状態の例を説明するための図である。使用者は、例えば、人差し指を第１指掛け部２１に通し、その他の指で握り部２３ｃを握り締めるようにして把持することができる。また、この状態で、ブラシ部１０ｃを長軸方向において回転させることによって、歯ブラシ１ｃを把持する把持態様を変えずとも、ヘッド部１１ｃが歯に当接する角度を調整しながらブラッシングすることができる。
【００５０】
すなわち、歯ブラシ１ｃを用いれば、使用者は、弱い力でもしっかりと歯ブラシを把持することができ、さらに、把持態様を変えずとも、ブラッシング角度を調整しながら、快適にブラッシングすることができる。
【００５１】
なお、ブラシ部を長軸方向において回転させる構成は、上記構成は一例に過ぎず、例えば、後述各実施例のような構成にすることができ、これに限定されるものではない。
【００５２】
＜実施形態３の変形例１＞
図８は実施形態３の変形例１に係る歯ブラシ１ｄを説明するための図である。ここで、実施形態３と同様な構成については、同様な符号を付してその説明を省略する。図８に示すように、歯ブラシ１ｄは、ブラシ部１０ｄ及び把持部２０ｄを備える。歯ブラシ１ｄは、ブラシ部１０ｄと把持部２０ｄとが別体に形成される。
【００５３】
ブラシ部１０ｄは、ヘッド部１１、首部１２及び連結部１３ｄを含む。連結部１３ｄは首部側が閉塞した筒状に形成され、複数の溝部１５ｄが設けられる。溝部１５ｄは、連結部１３ｄの開口側（把持部側）から切り込む略Ｕ字状の溝である。なお、図８に示す溝部１５ｄは連結部１３ｄの壁（肉厚）を貫通する溝であるが、これに限定されるものではなく、溝部１５ｄは連結部１３ｄの壁（肉厚）を貫通しないように内周側から所定の肉厚部分まで形成することができる。
【００５４】
把持部２０ｄは、第１指掛け部２１と、第１指掛け部２１から凸状に延びて形成される軸部２７ｄと、握り部２３ｃとを含む。軸部２７ｄにはピン２８ｄが設けられる。ピン２８ｄを所定の溝部１５ｄに通して軸部２７ｄと連結部１３ｄとを套接することによって、ブラシ部１０ｄと把持部２０ｄとが連結される。また、ブラシ部１０ｄを引き抜き、ピン２８ｄが異なる溝部１５ｄにはまるように軸部２７ｄを連結部１３ｄに嵌め込むことによって、ブラシ部１０ｄを把持部２０ｄに対して回転させることができる。
【００５５】
このように、溝部１５ｄ及びピン２８ｄを設けることによって、さらに簡便にブラシ部１０ｄを回転固定させることができる。
【００５６】
また、図示しないが、ブラシ部において連結部を棒状に形成するとともにその外周に放射状にリブを設けて雄部とし、把持部には軸部ではなく筒状の部分を設けてこれを被う雌部とし、両者が嵌合するように構成してもよい。または、ブラシ部に上記雄部を、把持部に上記雌部を設けるように構成してもよく、ブラシ部及び把持部が適度に嵌合し取り外しが可能であれば他の構成であってもよい。また、図示しないが、少し強い力でひねるとブラシ部が回転し止まるラッチ機構を設けてもよい。
【００５７】
＜実施形態４＞
図９は実施形態４に係る歯ブラシ１ｅを説明するための図で、図９（ａ）は平面図、図９（ｂ）は使用状態の例を説明するための図である。以下では、実施形態１及び３と同様な構成については、同様な符号を付してその説明を省略する。図９に示すように、歯ブラシ１ｅは、ブラシ部１０ｅ及び把持部２０ｅを備える。歯ブラシ１ｅは、ブラシ部１０ｅと把持部２０ｅとが別体に形成される。
【００５８】
ブラシ部１０ｅは、ヘッド部１１、首部１２及び連結部１３ｅを含む。連結部１３ｅは、把持部２０の軸部２７ｅを挿接するための円柱状の軸孔１６ｅが設けられる。また、連結部１３ｅには、窓部１７ｅが設けられる。
【００５９】
把持部２０ｅは、第１指掛け部２１と、第１指掛け部２１から凸状に延びて形成される軸部２７ｅと、第２指掛け部２２と、握り部２３とを含む。軸部２７ｅには、捻じりバネ２９ｅが挿着され、軸部２７ｅを連結部１３ｅに挿接することによって、ブラシ部１０ｅ及び把持部２０ｅが連結される。
【００６０】
図９（ｂ）に示すように、使用者は、例えば、人差し指を第１指掛け部２１に通し、その他の指で歯ブラシ１ｅを握り締めるようにして把持することができる。また、この状態で、ブラシ部１０ｅを長軸方向において回転させることによって、歯ブラシ１ｅを把持する把持態様を変えずとも、ヘッド部１１が歯に当接する角度を調整しながらブラッシングすることができる。
【００６１】
このように、使用者は歯ブラシ１ｅを用いれば、第１指掛け部に指を通し、第２指掛け部に指を当てることによって、弱い力でもしっかりと歯ブラシ１ｅを把持することができる。また、第２指掛け部の最大幅が第１指掛け部より広いため、自然な把持態様となると共に、３点支持となるため安定感のある把持ができる。また、第２指掛け部に凹部と凸部を含めることで、凹部に指を当てた状態で、凸部で歯ブラシを捻るようにして、ブラシ部の角度を調整することができる。また、凸部間の幅（第２指掛け部の最大幅）が広いため、小さい幅の捻りでもブラシ部の角度を変える効果を得ることができる。さらに、ブラシ部１０ｅを長軸方向において回転させることによって、歯ブラシ１ｅを把持する把持態様を変えずとも、ヘッド部１１が歯に当接する角度を調整しながらブラッシングすることができる。
【００６２】
また、捻じりバネ２９ｅを用いることによって、ヘッド部１１を一定の位置に戻りやすくすることができ、さらに快適にブラッシングすることができる。
【００６３】
以上、本考案に係る歯ブラシの実施形態について説明したが、これらは本考案の実施形態の一例に過ぎず、本考案はこれらに限定されるものではない。本考案には、以上の各実施形態を組み合わせた形態や、様々な変形例が含まれる。
【００６４】
また、図示しないが、各実施形態において、ブラシ部が把持部に対して屈曲可能に形成されてもよい。これによって、さらに快適にブラッシングすることができる。また、第１指掛け部は、三角形状や四角形状等の貫通孔が設けられた三角形状や四角形状等に形成されてもよい。
【符号の説明】
【００６５】
１、１ｃ              歯ブラシ
１０、１０ｃ          ブラシ部
１１                  ヘッド部
１２                  首部
１３、１３ｃ          連結部
１４ｃ                係止孔
２０、２０ｃ          把持部
２１                  第１指掛け部
２２                  第２指掛け部
２３、２３ｃ          握り部
２４                  貫通孔
２５                  凹部
２６                  凸部
２７ｃ                軸部
２８ｃ                ストッパー
【図１】
0003200296.tif 000003
【図２】
0003200296.tif 000004
【図３】
0003200296.tif 000005
【図４】
0003200296.tif 000006
【図５】
0003200296.tif 000007
【図６】
0003200296.tif 000008
【図７】
0003200296.tif 000009
【図８】
0003200296.tif 000010
【図９】
0003200296.tif 000011